(57)【要約】【課題】多室型空気調和機であって、暖房運転モードにおいて室内ユニットがサーモオフ状態である場合に、室内温度のサンプリング検知のときに一律に決められた間隔と時間で室内送風機を運転し、室内ユニットの熱交換器の蓄熱を室内に放出することになり、被空調室が設定温度以上の室温になりユーザーに対して不快感を与えてしまう可能性があった。【解決手段】サーモオフ状態の室内ユニット９Ｂの送風機７Ｂを間欠運転させる間隔を、検知された室内温度に基づき可変させる手段を備え、さらに室内ユニット９Ｂの熱交換器６Ｂと吸込み温センサー５Ｂの距離関係や室内ユニット９Ｂの定格能力に応じて、室内送風機７Ｂの所定運転時間Ｔ１を可変させる手段を備えた。【選択図】  図１
2005024111.tif 000002
【特許請求の範囲】
【請求項１】
少なくとも室内送風機と室内温度検知手段とを有する複数の室内ユニットで構成される多室型空気調和機であって、暖房運転モードにおいて前記室内ユニットの少なくとも１台はサーモオン状態で圧縮機が運転されており、かつ他の前記室内ユニットの少なくとも１台はサーモオフ状態である場合において、このサーモオフ状態の室内ユニットが室内温度を検知するために室内送風機を間欠運転させる間隔を、前記室内温度検知手段により検知された室内温度に基づいて可変とすることを特徴とする多室型空気調和機。
【請求項２】
室内ユニットは室内熱交換器を有し、その室内熱交換器と室内温度検知手段の距離関係に応じて、前記室内ユニットの室内送風機の所定運転時間を可変とすることを特徴とする請求項１に記載の多室型空気調和機。
【請求項３】
室内ユニットの定格能力に応じて、前記室内ユニットの室内送風機の所定運転時間を可変とすることを特徴とする請求項１に記載の多室型空気調和機。
【請求項４】
室内熱交換器と室内温度検出手段の距離関係および室内ユニットの定格能力に応じて、室内ユニットの室内送風機の所定運転時間を可変とすることを特徴とする請求項１に記載の多室型空気調和機。
【発明の詳細な説明】
【０００１】
【発明の属する技術分野】
本発明は、多室型空気調和機に関するものであり、詳しくは室内送風機の運転制御に関するものである。
【０００２】
【従来の技術】
従来の多室型空気調和機の暖房運転モードにおいて、サーモオン状態の室内ユニットでは、膨張弁を極力開いた状態にして室内送風機を設定風量で運転し、室内ユニットの室内温度がユーザーの設定温度に近づくとサーモオフして室内温度がユーザーの設定温度よりも高くなりすぎることを抑制している。そしてサーモオフ状態になった室内ユニットでは膨張弁を極力閉じた状態にして冷媒の流れを絞ると共に室内送風機を停止する。しかし室内ユニットが１台でもサーモオン状態で動作していれば圧縮機は運転を継続し、サーモオフ状態で室内送風機が停止した室内ユニットでは、少量ながら循環している冷媒の室内熱交換器からの輻射熱によって室内吸込み温センサーが室内温度を実際よりも高く検出してしまうため、室内温度を検知する際には室内送風機を一定時間運転して検出していた。（例えば、特許文献１参照）
図５は従来の多室型空気調和機における暖房運転時の室内送風機運転停止のタイミング表である。
【０００３】
サーモオン状態において設定風量で運転していた室内送風機は室温がユーザーの設定温度に達してサーモオフ状態になると、微弱風量での所定時間Ｔ１の運転と所定時間Ｔ２の停止を室内温度がユーザーの設定温度未満になって再度サーモオンするまで周期的に繰り返す。
【０００４】
図６は従来の多室型空気調和機におけるサーモオフ状態の室内送風機の動作を表すフローチャートである。
【０００５】
ステップＳ１１でサーモオフした後ステップＳ１２で所定時間Ｔ１運転し、ステップＳ１３で室内温度がユーザーの設定温度以上かどうか判定して、設定温度以上の場合はステップＳ１５で室内送風機を所定時間Ｔ２停止し、ステップＳ１２に戻り室内送風機を所定時間Ｔ１運転し再びステップＳ１３で室内温度が設定温度以上かどうか判定を行う。ステップＳ１３で室内温度がユーザーの設定温度未満の場合にはステップＳ１４で設定時間Ｔ１運転後ステップＳ１６でサーモオンする。
【０００６】
このように従来の多室型空気調和機ではサーモオフ状態で室内温度がユーザーの設定温度以上であれば、サーモオンするまで微弱風量での所定時間Ｔ１の運転と所定時間Ｔ２の停止を規則的に一定のタイミングで間欠的に繰り返していた。
【０００７】
【特許文献１】
特開２００２−２２３０２号公報（第２頁、図９）
【０００８】
【発明が解決しようとする課題】
しかしながら前記従来の構成では、室内温度のサンプリング検知のときに一律に決められた所定運転時間Ｔ１と所定停止時間Ｔ２の周期で室内送風機を運転してしまうため、室内温度が十分に高くサンプリング検知が必要ない場合でも室内送風機を運転して室内ユニットの熱交換器が有している熱を室内に放出してしまうことになり、サーモオフ状態にあるにもかかわらずその室内ユニットの据え付けられた被空調室が不用意にユーザーの設定温度以上の室温になり、ユーザーに対して不快感を与えてしまう可能性があるという課題を有していた。
【０００９】
本発明はこのような従来の課題に鑑みてなされたものであり、サーモオフ時に室内熱交換器の熱の被空調室への放出量を少なくして、ユーザーの快適性を維持することを可能とした多室型空気調和機を提供することを目的とする。
【００１０】
【課題を解決するための手段】
上記課題を解決するために本発明は、少なくとも室内送風機と室内温度検知手段とを有する複数の室内ユニットで構成される多室型空気調和機であって、暖房運転モードにおいて前記室内ユニットの少なくとも１台はサーモオン状態で圧縮機が運転されており、かつ他の前記室内ユニットの少なくとも１台はサーモオフ状態である場合において、このサーモオフ状態の室内ユニットが室内温度を検知するために室内送風機を間欠運転させる間隔を、前記室内温度検知手段により検知された室内温度に基づいて可変させるものである。
【００１１】
本構成によって、サーモオフ時に室内熱交換器の熱の被空調室への放出量を少なくして、ユーザーの快適性を維持することができる。
【００１２】
【発明の実施の形態】
請求項１の発明は、少なくとも室内送風機と室内温度検知手段とを有する複数の室内ユニットで構成される多室型空気調和機であって、暖房運転モードにおいて前記室内ユニットの少なくとも１台はサーモオン状態で圧縮機が運転されており、かつ他の前記室内ユニットの少なくとも１台はサーモオフ状態である場合に、このサーモオフ状態の室内ユニットが室内温度を検知するために室内送風機を間欠運転させる間隔を、前記室内温度検知手段により検知された室内温度に基づいて可変させる構成にした。
【００１３】
この構成により、サーモオフ状態の室内ユニットが室内温度を検知するために室内送風機を間欠運転させる間隔を、検知された室内温度に基づいて可変させることにより、室内送風機の総合運転時間を減少させることが可能になり、室内送風機の運転による熱放出を抑制する効果がある。
【００１４】
請求項２、３、４の発明は請求項１の構成に加えて、それぞれ室内ユニットの熱交換器と吸込み温センサーの距離関係、室内ユニットの定格能力、室内ユニットの熱交換器と吸込み温センサーの距離関係および室内ユニットの定格能力に応じて室内送風機の所定運転時間を変化させる構成とし、室内送風機の運転時間を短くして熱放出を抑制する効果がある。
【００１５】
以下、本発明の実施の形態について図面を参照して説明する。
【００１６】
（実施の形態１）
図１は本発明の実施の形態１における多室型空気調和機の冷凍サイクル図である。
【００１７】
図１において、矢印は暖房運転モード時の冷媒の流れを表している。冷凍サイクルは少なくとも圧縮機１、室外熱交換器２、室外膨張弁３、室内熱交換器６Ａ、６Ｂ、６Ｃ、室内膨張弁８Ａ、８Ｂ、８Ｃを順次連結することにより構成される。４は室外送風機、５Ａ、５Ｂ、５Ｃは温度検出手段である室内吸込み温センサー、７Ａ、７Ｂ、７Ｃは室内送風機、９Ａ、９Ｂ、９Ｃは室内ユニットである。
【００１８】
室内ユニット９Ａは室内吸込み温センサー５Ａ、室内熱交換器６Ａ、室内送風機７Ａ、室内膨張弁８Ａから構成され、同様に室内ユニット９Ｂは室内吸込み温センサー５Ｂ，室内熱交換器６Ｂ，室内送風機７Ｂ，室内膨張弁８Ｂから、室内ユニット９Ｃは室内吸込み温センサー５Ｃ，室内熱交換器６Ｃ，室内送風機７Ｃ，室内膨張弁８Ｃから構成され、それぞれ別の部屋に設置されている。
【００１９】
以上のように構成された多室型空気調和機において、以下その動作について説明する。
【００２０】
暖房運転モードにおいて、圧縮機１によって圧縮された冷媒は室外送風器４によって放熱される室外熱交換器２で外気温との間で熱交換して室外膨張弁３で調圧された後、サーモオン状態の各室内ユニットの室内熱交換器６で熱交換して室内送風器７の送風によって室内に熱を排出して暖房を行い、室内膨張弁８を通って圧縮機１に再吸入される。各室内ユニット９は室内吸込み温センサー５によって検出した室内温度とユーザー設定温度を比較してサーモオンかサーモオフかの運転状態が決定される。
【００２１】
図２は本発明の実施の形態１における多室型空気調和機の暖房運転モードにおいて、サーモオフ状態の室内送風機運転のタイミングを表したものである。
【００２２】
室内ユニット９Ａはサーモオン状態を継続して圧縮機１が運転されており、かつ室内ユニット９Ｂは室温がユーザー設定温度に達してサーモオン状態からサーモオフ状態になった場合について以下に説明を行う。
【００２３】
室内ユニット９Ｂの室内送風機７Ｂはある一定間隔で所定運転時間Ｔ１として１５秒間運転する間に室内吸込み温センサー５Ｂにて室内温度を検知し、室内温度が所定温度ｔａ以上であり、かつ室内温度とユーザー設定温度の差がある所定値ｔｄ以上であれば、室内送風機７Ｂが所定停止時間Ｔ２として５０秒間停止したのち所定運転時間Ｔ１を０秒とし運転を１度省略してすぐに次の所定停止時間Ｔ２として５０秒間の停止に入る。
【００２４】
ここで室内ユニット９Ｃの運転状態については説明しなかったが、サーモオン、サーモオフどちらであってもよい。
【００２５】
また室内ユニット９Ｂの熱交換器６Ｂと吸込み温センサー５Ｂの距離が離れている場合には、吸込み温センサー５Ｂが熱交換器６Ｂの輻射熱の影響を受けにくいため、サーモオフ時に室内ユニット９Ｂの送風機７Ｂの所定運転時間Ｔ１を太線点線Ｔ３のように短く設定する。
【００２６】
室内ユニット９Ｂの定格能力が小さい場合にも熱交換器６Ｂの蓄熱量が少なく、吸込み温センサー５Ｂが熱交換器６Ｂの輻射熱の影響を受けにくいため、サーモオフ時に室内ユニット９Ｂの送風機７Ｂの所定運転時間Ｔ１を短く設定する。
【００２７】
すなわち所定運転時間Ｔ１は室内ユニット９Ｂの熱交換器６Ｂと吸込み温センサー５Ｂの距離に概略反比例し、室内ユニット９Ｂの定格能力に概略比例した長さに設定する。
【００２８】
図３は本発明の実施の形態１における多室型空気調和機のサーモオフ状態での室内送風機の特性図である。
【００２９】
室内ユニット９Ｂが設置されている部屋の室内温度が所定温度ｔａ以上で、かつ室内温度とユーザー設定温度の差が所定値ｔｄ以上の場合には室内送風機７Ｂの所定運転時間Ｔ１を０秒として運転を省略することを表している。
【００３０】
図４は本発明の実施の形態１における多室型空気調和機の、サーモオフ状態での室内送風機の動作を表すフローチャートである。
【００３１】
サーモオン状態で室内送風機７Ｂを設定風量で運転していた室内ユニット９Ｂは室内温度がユーザー設定温度に達するとステップＳ１でサーモオフしてステップＳ２で室内送風機７Ｂを所定時間Ｔ１微弱風量で運転した後、ステップＳ３で室内温度が所定温度ｔａ以上かどうか判定し、所定温度ｔａ以上なら次にステップＳ５で室内温度とユーザー設定温度の差が所定値ｔｄ以上か判定する。所定値ｔｄ以上ならステップＳ７で室内送風機７Ｂを所定時間Ｔ２停止後、ステップＳ８で所定時間Ｔ１の運転を省略しステップＳ９で再度所定時間Ｔ２停止後ステップＳ２の所定時間Ｔ１運転に戻る。ステップＳ５で室内温度とユーザー設定温度の差が所定値ｔｄ未満の場合にはステップＳ６で所定時間Ｔ２停止後ステップＳ２に戻る。ステップＳ３で室内温度が所定温度ｔａ未満ならステップＳ４で所定時間Ｔ２停止後ステップＳ１０でサーモオンする。
【００３２】
以上の説明から分かるように、本発明の実施の形態１では室内温度が所定温度ｔａ以上で、かつ室内温度とユーザー設定温度の差が所定値ｔｄ以上であれば所定運転時間Ｔ１を０秒にして運転を１度省略することでサーモオフ状態での室内送風機総合運転時間を減少することを可能にし、被空調室がユーザーの設定温度以上の室温になりユーザーに不快感を与えてしまうのを抑制する効果がある。
【００３３】
また室内ユニット９Ｂの熱交換器６Ｂと吸込み温センサー５Ｂの距離関係または室内ユニット９Ｂの定格能力に応じて、あるいは室内ユニット９Ｂの熱交換器６Ｂと吸込み温センサー５Ｂの距離関係および室内ユニット９Ｂの定格能力に応じて、サーモオフ時に室内ユニット９Ｂの送風機７Ｂの所定運転時間Ｔ１を短く設定することにより、室内送風機総合運転時間をさらに減少することができ、さらに不快感抑制の効果が大きくなる。
【００３４】
なお本発明では、室内送風機運転を省略した場合には室内温度検出も省略するが、前回の室内温度検出で所定温度ｔａ以上であれば、室内温度が充分に温まっていると考えられるため、仮に所定停止時間Ｔ２経過後に室内温度がユーザー設定温度以下に下降していたとしても不快感は生じない。
【００３５】
【発明の効果】
以上から明らかなように、本発明の多室型空気調和機は、暖房運転モード時にサーモオフ状態の室内ユニットにおいて、室内送風機の所定運転時間Ｔ１中に室内温度を検出し、検出された室内温度が所定温度ｔａ以上でありかつ室内温度とユーザー設定温度の差が設定値ｔｄ以上であれば、所定停止時間Ｔ２経過後の所定運転時間Ｔ１を１度省略するものである。
【００３６】
この構成によればサーモオフ状態の室内ユニットの送風機総合運転時間を減らすことが可能となり、室内ユニットが有する熱交換器の熱放出で被空調室がユーザー設定温度以上の室温になりユーザーに不快感を与えてしまうのを抑制する効果がある。
【図面の簡単な説明】
【図１】本発明の実施の形態１における多室型空気調和機の冷凍サイクル図
【図２】本発明の実施の形態１における室内送風機運転停止のタイミング表を示す図
【図３】本発明の実施の形態１における、サーモオフ時の室内送風機の特性図
【図４】本発明の実施の形態１における室内送風機の動作を表すフローチャート
【図５】従来の室内送風機運転停止のタイミング表を示す図
【図６】従来の室内送風機の動作を表すフローチャート
【符号の説明】
５  室内吸込み温センサー
６  室内熱交換器
７  室内送風機
９  室内ユニット
【図１】
2005024111.tif 000003
【図２】
2005024111.tif 000004
【図３】
2005024111.tif 000005
【図４】
2005024111.tif 000006
【図５】
2005024111.tif 000007
【図６】
2005024111.tif 000008